(57)【要約】【課題】正規のユーザの認証が行われた場合には、複写物において潜像が再現されないようにし、見た目が元の原稿と同じ複写物が得られるようにする。【解決手段】画像読取装置１に、地紋パターンを有したセキュリティ原稿紙を読み取って画像処理を行うことが可能な画像処理装置であって、地紋パターンに含まれる潜像を顕在化する第２補正処理部５３と、地紋に含まれる潜像が顕在化しないように補正処理を行う第１補正処理部５２と、セキュリティ原稿紙についての正規のユーザであるか否かを認証するＣＰＵ２０と、セキュリティ原稿紙についての正規のユーザであると認証された場合に、第１補正処理部５２による補正処理を行って潜像が顕在化しないように、または第２補正処理部５３による潜像の顕在化が行われないように、制御を行うＣＰＵ２０と、を設ける。【選択図】図２
2009152902.tif 000002
【特許請求の範囲】
【請求項１】
地紋を有した原稿を読み取って画像処理を行うことが可能な画像処理装置であって、
前記地紋に含まれる潜像を顕在化する潜像顕在化手段と、
前記地紋に含まれる潜像が顕在化しないように補正処理を行う第１補正処理手段と、
前記原稿についての正規のユーザであるか否かを認証する認証手段と、
前記原稿についての正規のユーザであると認証された場合に、前記第１補正処理手段による補正処理を行って前記潜像が顕在化しないように、または前記潜像顕在化手段による潜像の顕在化が行われないように、制御を行う制御手段と、
を有することを特徴とする画像処理装置。
【請求項２】
前記認証手段は、
前記地紋に含まれる特定パターンを検出するための検出手段と、
前記特定パターンの中から前記原稿についての正規のユーザを認証するためのパスワードを抽出するパスワード抽出手段と、
を含んでおり、
前記パスワード抽出手段により抽出されたパスワードとユーザにより入力されたパスワードとが一致した場合に、前記原稿についての正規のユーザであると認証する、
請求項１記載の画像処理装置。
【請求項３】
前記認証手段は、
ユーザにより入力されたパスワードが予め登録されたパスワードと一致した場合に、前記原稿についての正規のユーザであると認証する、
請求項１記載の画像処理装置。
【請求項４】
前記認証手段は、
ユーザの生体認証が行われた場合に、前記原稿についての正規のユーザであると認証する、
請求項１記載の画像処理装置。
【請求項５】
前記潜像は、比較的サイズの小さいドットからなる消去ドット群と比較的サイズの大きいドットからなる残留ドット群との組み合わせによって形成されており、
前記第１補正処理手段は、
前記消去ドット群に対して、高濃度化処理、シャープネス処理、およびクロージング処理からなる処理群より選択される１つまたは２つ以上の処理を組み合わせて実施することによって、前記地紋に含まれる潜像が顕在化しないようにする、
請求項２ないし４のいずれかに記載の画像処理装置。
【請求項６】
潜像を含む地紋を有した原稿を読み取って複写を行うことが可能な複写機の制御方法であって、
前記原稿を読み取り部によって読み取って画像データを得るステップと、
ユーザからの入力に基づいて前記原稿についての正規のユーザであるか否かを認証するステップと、
前記原稿についての正規のユーザであると認証された場合に、前記潜像が顕在化しないように、前記画像データを補正するステップと、
補正された前記画像データを印刷するステップと、
を有することを特徴とする複写機の制御方法。
【発明の詳細な説明】
【技術分野】
【０００１】
本発明は、ＭＦＰ等の画像形成装置に用いられる画像処理装置および複写機の制御方法に関する。
【背景技術】
【０００２】
近年、人間の視覚特性を利用して原稿の画像に電子透かしを入れる技術が画像形成の分野で利用されている。電子透かしを入れることによって、原稿の原本性の確認、コピ−禁止の警告表示、種々の付属情報の付加、または機器の制御などを行うことが可能である。
【０００３】
従来より、複合機またはＭＦＰ（Multi Function Peripherals）と呼称される多機能コピ−機において、サイズの異なる複数種類のドットを用いて付加情報を作成し、この付加情報を原稿の画像に合成して埋め込むことが行われている。例えば、サイズの異なる２種類のドットを用い、小さいドットによって背景を形成し、大きいドットによって埋込み文字を形成する。これら２種類のドットによる背景および埋込み文字は、原稿の画像に対する地紋として合成される。
【０００４】
機密文書が不正に複製されることを防止するために、当該機密文書に上記のような地紋や所定の付加情報を予め付加することが行われている。
【０００５】
例えば、判断手段により原稿の付加情報が読み取られ、当該原稿が機密文書であると判断された場合には、制御手段が白紙を出力する等の原稿のコピー動作を制御することによって、機密文書の不正流出を防止することが可能な画像処理装置が提案されている（特許文献１）。
【０００６】
また、地紋が印刷された機密紙原稿をカラーモードで複製する場合に、地紋の背景部分を消失させることによって、地紋の潜像部分を明瞭に浮かび上がらせて、地紋の複製抑制効果を発揮することが可能な画像形成装置が提案されている（特許文献２）。
【０００７】
さらに、背景パターンを下地として除去する下地除去処理がユーザによりオフに設定されている状態でも、文字列や模様等からなる潜像パターンが背景パターンと区別され、容易に視認できるように現わすことが可能な画像形成装置が提案されている（特許文献３）。
【特許文献１】特開平６−２００２７号公報
【特許文献２】特開２００６−２９５８５７号公報
【特許文献３】特開２００７−１９７３４号公報
【発明の開示】
【発明が解決しようとする課題】
【０００８】
しかし、特許文献１〜３に記載されるような方法では、正規のユーザであっても、潜像が再現され、例えば「複写禁止」の文字が地紋の中に浮かび上がる。これは、正規のユーザにとっては不本意なことである。
【０００９】
本発明は、このような問題点に鑑み、正規のユーザの認証が行われた場合には、複写物において潜像が再現されないようにし、見た目が元の原稿と同じ複写物が得られるようにすることを目的とする。
【課題を解決するための手段】
【００１０】
本発明の一形態に係る画像処理装置は、地紋を有した原稿を読み取って画像処理を行うことが可能な画像処理装置であって、前記地紋に含まれる潜像を顕在化する潜像顕在化手段と、前記地紋に含まれる潜像が顕在化しないように補正処理を行う第１補正処理手段と、前記原稿についての正規のユーザであるか否かを認証する認証手段と、前記原稿についての正規のユーザであると認証された場合に、前記第１補正処理手段による補正処理を行って前記潜像が顕在化しないように、または前記潜像顕在化手段による潜像の顕在化が行われないように、制御を行う制御手段と、を有する。
【００１１】
好ましくは、前記認証手段は、前記地紋に含まれる特定パターンを検出するための検出手段と、前記特定パターンの中から前記原稿についての正規のユーザを認証するためのパスワードを抽出するパスワード抽出手段と、を含んでおり、前記パスワード抽出手段により抽出されたパスワードとユーザにより入力されたパスワードとが一致した場合に、前記原稿についての正規のユーザであると認証する。
【発明の効果】
【００１２】
本発明によると、正規のユーザの認証が行われた場合には、複写物において潜像が再現されず、見た目が元の原稿と同じ複写物を得ることが可能となる。
【発明を実施するための最良の形態】
【００１３】
本実施形態に係る画像処理装置を用いた画像形成装置（複写機）によれば、潜像を含む地紋を有した原稿を読み取り部（スキャナ）によって読み取って画像データを生成した後、ユーザからの入力に基づいて原稿についての正規のユーザであるか否かを認証し、原稿についての正規のユーザであると認証された場合に、上記潜像が顕在化しないように、上記画像データを補正し、補正された画像データを印刷することができる。
【００１４】
図１は本実施形態に係る画像処理装置１の全体構成を示すブロック図、図２は図１の検出補正処理部４の構成を示すブロック図である。
【００１５】
本実施形態に係る画像処理装置１は、スキャナユニットおよびプリンタユニットを一体的に備えるＭＦＰ（Multi Function Peripherals）等の画像形成装置に用いられる。
【００１６】
図１に示すように、本実施形態に係る画像処理装置１は、ＣＣＤ（Charge-Coupled Device：電荷結合素子）、ミラーおよび原稿台ガラス等から構成される読み取り部２、第１スキャナ画像処理部３、検出補正処理部４、第２スキャナ画像処理部５、圧縮伸張処理部６、プリンタ画像処理部７、地紋パターン生成部８、およびパスワード生成部９等から構成される。
【００１７】
画像処理装置１の上記各構成部としてＣＰＵ、メモリ、その他の回路素子等が用いられる。これらの全体または一部が、マイクロコンピュータまたはＡＳＩＣ（Application Specific Integrated Circuit)等としてＬＳＩ化されて用いられることがある。
【００１８】
読み取り部２は原稿を読み取って画像データＧＤを生成する。第１スキャナ画像処理部３は、読み取り部２によって生成された画像データＧＤに対して、シェーディング補正、ライン間補正および色収差補正等を行う。
【００１９】
シェーディング補正とは、画像データＧＤについていわゆるスキャナむら（ＣＣＤの各画素の感度のばらつきおよび配光むら等）を補正することをいう。ライン間補正とは、ＣＣＤのＲ，Ｇ，Ｂライン間の位置ずれに起因するＲ，Ｇ，Ｂカラー画像信号（データ）の位相ずれを補正することをいう。フィールドメモリを用いてＲ及びＧの画像データＧＤを遅延させることにより補正を行う。色収差補正とは、画像データＧＤについてレンズ系の色収差に起因する位相ずれを補正することをいう。
【００２０】
検出補正処理部４は、画像データＧＤについて特定パターンの有無の検出を行い、当該検出結果に基づいて画像データＧＤを補正する（後述の第１補正処理および第２補正処理）。
【００２１】
特定パターンとは、正規ユーザの認証を行うためのパスワード（セキュリティコード）およびセキュリティレベル等の秘密情報を含む地紋パターンからなり、不正コピーを防止するために設けられたパターンである。したがって、地紋パターンは不正コピーコードと呼ばれることもある。なお、特定パターンは、「複写禁止」等の文字からなる潜像（後述）が形成された原稿に設けられる。
【００２２】
第２スキャナ画像処理部５は、上記処理後の画像データＧＤに対して解像度変換、領域判別（文字判別）、色変換、文字エッジ補正、および誤差拡散等の処理を行う。
【００２３】
解像度変換とは、本装置での撮像モードの設定状態に応じて、画像データＧＤに対して後述の操作パネル２１の表示部（液晶ディスプレイ）２１ａに合わせた解像度変換を行う。解像度変換においては、画像データＧＤを間引くことにより解像度を減少させ、また画像データＧＤを補間することにより解像度を増大させる。
【００２４】
領域判別とは、画像データＧＤについて文字、写真、網点等の属性に応じた領域に分割することをいう。色変換とは、Ｒ，Ｇ，Ｂ系の画像データＧＤをイエロー（Ｙ）、マゼンタ（Ｍ）、シアン（Ｃ）、ブラック（Ｋ）系の画像データに変換する処理をいう。
【００２５】
また、文字エッジ補正とは、文字のエッジを強調する補正をいう。誤差拡散とは、写真画像等の中間調の原画像を低値化して再現する処理をいう。誤差拡散処理では、原画像の階調レベルを一定の閾値によって低値化データに低値化し、注目画素のデータ値（輝度値）とそれに対応する低値化データの輝度値との誤差を一定範囲の複数の周辺画素に重み付けして分配する。
【００２６】
圧縮伸張処理部６は、画像データＧＤを所定のフォーマットで圧縮し、圧縮後の画像データＧＤを図示しないメモリに記憶させる。また、圧縮伸張処理部６は、メモリに記憶された上記画像データＧＤを読み出し、伸張（解凍）する。
【００２７】
プリンタ画像処理部７は、画像データＧＤに対して所定の画像補正、画像合成、スクリーン制御、遅延制御、およびＰＷＭ制御を行う。画像合成とは、地紋パターン生成部８によって生成された地紋パターンおよびパスワード生成部９によって生成されたパスワードを画像データＧＤに合成することである。
【００２８】
地紋パターン生成部８は、プリンタ画像処理部７によって画像データＧＤと合成される地紋パターンを生成する。パスワード生成部９は、プリンタ画像処理部７によって画像データＧＤと合成されるパスワードを含む特定パターンを生成する。画像データＧＤに地紋パターンおよびパスワードを付加して特定パターン付きの画像データＧＤｐを生成する場合に、上記の地紋パターン生成部８およびパスワード生成部９が適用される。
【００２９】
ここで、本実施形態に係る画像処理装置１による処理概要を説明する。
【００３０】
本実施形態では、特定パターンＴＰが画像データＧＤに存在するか否かが判別される。特定パターンＴＰが画像データＧＤに存在する場合で、当該特定パターンＴＰに含まれるパスワードＰＷとユーザにより入力されたパスワードとが一致した場合には、原稿のコピーによって得た複写物に、「複写禁止」等の文字からなる潜像が再現されないように、画像データＧＤに対して第１補正処理が実施される。
【００３１】
一方、特定パターンＴＰが画像データＧＤに存在しない場合には、複写物に「複写禁止」等の文字からなる潜像が再現されるように、画像データＧＤに対して第２補正処理が行われる。なお、第１補正処理および第２補正処理については後述する。
【００３２】
さらに、特定パターンＴＰが画像データＧＤに存在する場合であっても、当該特定パターンＴＰにパスワードＰＷが含まれない場合や、パスワード認証が失敗した場合には、「複写禁止」等のメッセージが操作パネル２１の表示部２１ａに表示される。この場合、ユーザは複写を行うことはできない。
【００３３】
このように、画像処理装置１は、正規ユーザであると認証した場合に、上記潜像を複写物に再現しないようにする機能を有する。したがって、正規ユーザの認証が行われた場合には、複写物において潜像が再現されず、見た目が元の原稿と同じ複写物を得ることが可能となる。これにより、正規ユーザは複写物における複写画像を見易くなる。
【００３４】
図２に示すように、検出補正処理部４は、検出部５０、フレームメモリ５１、第１補正処理部５２、第２補正処理部５３、およびセレクタ５４等から構成される。第２補正処理部５３が潜像顕在化手段に該当する。なお、潜像顕在化手段には読み取り部２が含まれることがある。これは、後でも述べるが、読み取り部２による読み取り時において潜像を構成する消去ドットが消滅することによって、当該潜像が再現されることがあるためである。
【００３５】
検出部５０は、画像データＧＤから特定パターンＴＰの有無の検出を行い、特定パターンＴＰが存在する場合に、当該特定パターンＴＰから秘密情報ＨＪの検出を行う。なお、本実施形態では、検出部５０によって秘密情報ＨＪが検出された場合、コピー動作が一時中断される。
【００３６】
ＣＰＵ（中央演算処理装置）２０は、検出部５０によって検出された秘密情報ＨＪに含まれるパスワードＰＷの抽出を行う。フレームメモリ５１は、ＣＰＵ２０によって許可が与えられるまで画像データＧＤを保持する。
【００３７】
ＣＰＵ２０は、秘密情報ＨＪからパスワードＰＷを抽出した場合、ユーザに対してパスワード入力を要求するために、操作パネル２１の表示部２１ａに当該要求を示すメッセージを表示する。すなわち、現在のユーザが正規ユーザであるか否かが確認される。
【００３８】
そして、ＣＰＵ２０は、ユーザにより入力されたパスワードと秘密情報ＨＪに含まれるパスワードＰＷとが一致した場合、パスワード認証が成功したとして、つまり、ユーザが正規ユーザであるとして、フレームメモリ５１に保持された画像データＧＤの出力を許可する。
【００３９】
つまり、ＣＰＵ２０は、第１補正処理部５２による第１補正処理後の画像データＧＤ１が出力されるようセレクタ５４を制御する。
【００４０】
一方、ＣＰＵ２０は、秘密情報ＨＪからパスワードＰＷを抽出した場合でも、ユーザにより入力されたパスワードと秘密情報ＨＪに含まれるパスワードＰＷとが一致しない場合（パスワード認証が失敗した場合）や、秘密情報ＨＪにパスワードＰＷが存在しない場合には、フレームメモリ５１の画像データＧＤを出力しない。なお、この場合、他の処理（表示部２１ａにメッセージを表示する処理等）を実施してもよい。
【００４１】
さらに、ＣＰＵ２０は、画像データＧＤに特定パターンＴＰが存在しない場合には、第２補正処理部５３による第２補正処理後の画像データＧＤ２が出力されるようセレクタ５４を制御する。
【００４２】
図３は本実施形態の画像処理装置１による原稿の複写動作を説明するための図、図４は潜像の再現について説明するための図である。
【００４３】
以下では、図３（Ａ）に示すような原稿紙（以下、「セキュリティ原稿紙」と称する）Ｓ１の複写動作を、画像処理装置１を備えるＭＦＰ等の画像形成装置６０によって行う場合について説明する。
【００４４】
図３（Ａ）のセキュリティ原稿紙Ｓ１には、ドットパターンからなる地紋パターンＺＰ、コンテンツＣＴ１（図３（Ａ）では、「ＡＢＣ・・・ＸＹＺ」）、パスワードＰＷおよびセキュリティレベルＬＶ等を含む特定パターンＴＰ、および潜像ＳＺから構成される原稿画像ＧＧが形成されている。潜像ＳＺとは、正規のユーザ以外のユーザが複写を行うことを防止するために、複写物に再現される「複写禁止」等の画像をいう。なお、図３（Ａ）では、説明のために、特定パターンＴＰおよび潜像ＳＺは図示されているが、人間の目には見えないことが多い。また、図３（Ａ）では、複写禁止を示す「×」の潜像ＳＺが図示されている。
【００４５】
しかし、セキュリティ原稿紙Ｓ１の特定パターンＴＰの秘密情報ＨＪからパスワードＰＷが抽出されたが、パスワード認証に失敗した場合や、画像データＧＤに特定パターンＴＰが存在しない場合には、図３（Ｂ）に示すように、黒ベタ画像ＢＰから構成される複写画像ＨＧ１が複写紙Ｓ２に印刷される。
【００４６】
図３（Ａ）では、パスワード認証に失敗した場合や特定パターンＴＰが存在しない場合に、黒ベタ画像ＢＰを複写紙Ｓ２に印刷することとしたが、フレームメモリ５１に保持された画像データＧＤを消去し、白紙を出力してもよいし、黒ベタ画像ＢＰを複写紙Ｓ２に印刷しなくても、上述したように、「複写禁止」のメッセージを操作パネル２１の表示部２１ａに表示してもよい。
【００４７】
また、セキュリティ原稿紙Ｓ１に特定パターンＴＰが存在しない場合には、図３（Ｃ）に示すように、地紋パターンＺＰ、コンテンツＣＴ２（図３（Ｃ）では、「ＡＢＣ・・・ＸＹＺ」）、および潜像ＳＺから構成される複写画像ＨＧ２が複写紙Ｓ３に印刷される。
【００４８】
さらに、パスワード認証に成功した場合には、図３（Ｄ）に示すように、地紋パターンＺＰおよび図３（Ｃ）と同じコンテンツＣＴ２から構成される複写画像ＨＧ３が複写紙Ｓ４に印刷される。この場合、複写紙Ｓ４において潜像ＳＺは再現されない。
【００４９】
このような方法によって、セキュリティ原稿紙Ｓ１に基づく複写紙の差別化が可能となる。続いて、潜像ＳＺの再現方法について説明する。
【００５０】
本実施形態の画像処理装置１によれば、図４（Ａ）に示すようなセキュリティ原稿紙Ｓ１を複写した場合、図４（Ｂ）に示すような、潜像ＳＺが再現された複写紙Ｓ３を印刷することが可能となる。
【００５１】
図４（Ａ）に示すように、地紋パターンＺＰは、複数（例えば４つ）の画素から構成される残留ドットＺＤの集合体によって構成される。また、セキュリティ原稿紙Ｓ１においては、潜像ＳＺは消去ドットＳＤの集合体によって構成される。１つの消去ドットＳＤは、特定サイズの画素（例えば１画素）からなる。なお、図４（Ａ）では、説明のために、潜像ＳＺは図示されているが、人間の目には見えないことが多い。
【００５２】
消去ドットＳＤの単位面積当たりの濃度値と残留ドットＺＤの単位面積当たりの濃度値とを同じにすることによって、セキュリティ原稿紙Ｓ１において、残留ドットＺＤの集合体である地紋パターンＺＰと消去ドットＳＤの集合体である潜像ＳＺとが視覚的に識別し難くなっている。
【００５３】
図４（Ａ）のセキュリティ原稿紙Ｓ１を複写すると、消去ドットＳＤの集合体である潜像ＳＺが消去され、図４（Ｂ）の潜像ＳＺが白抜きで再現される。なお、理解を容易にするため、図４（Ａ）および（Ｂ）では、潜像ＳＺの形状を「１」としている。
【００５４】
ここで、消去ドットＳＤの集合体である潜像ＳＺを有するセキュリティ原稿紙Ｓ１を複写した場合に、残留ドットＺＤが消去されずに残留し、潜像ＳＺを構成する消去ドットＳＤが消去される理由について説明する。
【００５５】
上述したように、消去ドットＳＤは残留ドットＺＤに比して小さく、読み取り部２の光学系のＭＴＦ（Modulation Transfer Function）特性に起因して消滅し、または濃度値が低くなる。つまり、読み取り時において消去ドットＳＤは消滅するのであるが、完全に消滅しない場合がある。
【００５６】
一般に、画像処理においては、読み取り後に下地飛ばし処理が実施される。この下地飛ばし処理によって、読み取り時に消滅していない消去ドットＳＤが消去される。
【００５７】
下地飛ばし処理とは、読み取り部２により生成された画像データＧＤから下地レベル（下地の信号レベル）を減算することによって、画像データＧＤから下地を除去することをいう。例えば新聞や色紙等の下地が白くない領域を有する原稿を複写した場合に、下地飛ばし処理によって複写紙において当該領域を白くすることができる。
【００５８】
一方、残留ドットＺＤは消去ドットＳＤに比して大きいが、下地飛ばし処理によってその濃度値が低くなる。しかし、上述の領域判別処理後の画像補正を行うことによって、残留ドットＺＤのエッジが強調されるので、残留ドットＺＤは複写紙Ｓ４に残留する。
【００５９】
以上のことから、消去ドットＳＤを消去することによって潜像ＳＺを再現するための第２補正処理の一つとして、下地飛ばし処理が挙げられる。
【００６０】
以下、第１補正処理部５２によって行われる、消去ドットＳＤを消去しないことによって潜像ＳＺを再現しないようにするための第１補正処理の例、および第２補正処理部５３によって行われる、消去ドットＳＤを消去することによって潜像ＳＺを再現するための第２補正処理の他の例について説明する。
【００６１】
第１補正処理の例としては、検出フィルタを用いて消去ドットＳＤの濃度値を高くする処理（高濃度化処理）、エッジ強調フィルタを用いて消去ドットＳＤのエッジ（輪郭）を強調する処理（シャープネス処理）、および画像の小さな凹部を平滑化する処理（クロージング処理）が挙げられる。
【００６２】
第１補正処理の効果が大きいのは、順に高濃度化処理、シャープネス処理、およびクロージング処理である。処理時間の短縮の観点から、これらの処理を単独で行ってもよいし、消去ドットＳＤの消去を十分に抑制する観点から、これらの処理を組み合わせて行ってもよい。
【００６３】
第２補正処理の他の例としては、画像処理において一般的に実施される、上述の下地飛ばし処理、隣接する画素間の濃度の変化が滑らかになるように、各画素の濃度値を設定する処理（スムージング処理）、および画像の小さな凸部を平滑化する処理（オープニング処理）が挙げられる。
【００６４】
図５は本実施形態の画像処理装置１による複写処理を示すフローチャート、図６は操作パネル２１の一例を示す図である。
【００６５】
図５に示すように、最初に、画像データＧＤに特定パターンＴＰが存在するか否かが判別される（＃１）。特定パターンＴＰが存在する場合（＃１でＹｅｓ）、当該特定パターンＴＰから秘密情報ＨＪが検出される（＃２）。
【００６６】
そして、検出された秘密情報ＨＪにパスワードＰＷが存在するか否かが判別される（＃３）。秘密情報ＨＪにパスワードＰＷが存在する場合（＃３でＹｅｓ）、パスワードの入力要求が行われる（＃４）。この場合、図６に示すように、操作パネル２１の表示部２１ａにユーザに対するパスワード入力要求が表示される。
【００６７】
そして、ユーザにより入力されたパスワードと秘密情報ＨＪのパスワードＰＷとが一致するか否かが判別される（＃５）。ユーザにより入力されたパスワードと秘密情報ＨＪのパスワードＰＷとが一致する場合（＃５でＹｅｓ）、画像データＧＤに対して上述の第１補正処理が行われる（＃６）。その後、第１補正処理後の画像データＧＤ１が出力される（＃７）。
【００６８】
一方、特定パターンＴＰが存在しない場合（＃１でＮｏ）、画像データＧＤに対して上述の第２補正処理が行われる（＃８）。その後、第２補正処理後の画像データＧＤ２が出力される（＃９）。
【００６９】
さらに、秘密情報ＨＪにパスワードＰＷが存在しない場合（＃３でＮｏ）、およびユーザにより入力されたパスワードと秘密情報ＨＪのパスワードＰＷとが一致しない場合（＃５でＮｏ）には、画像データＧＤは出力されない（＃１０）。なお、＃７、＃９および＃１０の処理の後、一般の画像形成処理に戻る。
【００７０】
（本実施形態における効果）
このように、本実施形態では、特定パターンＴＰが画像データＧＤに存在する場合で、当該特定パターンＴＰに含まれるパスワードＰＷとユーザにより入力されたパスワードとが一致した場合には、セキュリティ原稿紙Ｓ１の複写によって得た複写紙Ｓ４に、「複写禁止」等の文字からなる潜像ＳＺが再現されないように、画像データＧＤに対して第１補正処理が実施される。これにより、正規ユーザの認証が行われた場合には、複写紙Ｓ４において潜像ＳＺが再現されず、見た目が元のセキュリティ原稿紙Ｓ１と同じ複写物を得ることが可能となる。したがって、正規ユーザは複写紙Ｓ４の複写画像ＨＧ３を認識し易くなる。
【００７１】
（他の実施形態）
上記実施形態においては、消去ドットＳＤを消去しないことによって潜像ＳＺを再現しないようにするための処理として、第１補正処理部５２による第１補正処理を実施することとしたが、画像処理において一般的に実施される第２補正処理を実施しないことによって、同様の効果が奏される。
【００７２】
また、上記実施形態では、特定パターンＴＰのパスワードＰＷとユーザにより入力されたパスワードとが一致した場合に、正規のユーザであると認証したが、これに限定されるものではなく、ユーザにより入力されたパスワードと予め登録したパスワードとが一致した場合、または、ユーザの声や指紋等による生体認証が行われた場合に、正規のユーザであると認証してもよい。
【００７３】
その他、画像処理装置１の全体または各部の構成、処理内容、処理順序等は、本発明の趣旨に沿って適宜変更することが可能であり、この場合にも上記の特有かつ格別の効果が奏される。
【図面の簡単な説明】
【００７４】
【図１】本実施形態に係る画像処理装置の全体構成を示すブロック図である。
【図２】図１の検出補正処理部の構成を示すブロック図である。
【図３】本実施形態の画像処理装置による原稿の複写動作を説明するための図である。
【図４】潜像の再現について説明するための図である。
【図５】本実施形態の画像処理装置による複写処理を示すフローチャートである。
【図６】操作パネルの一例を示す図である。
【符号の説明】
【００７５】
１  画像処理装置
２  読み取り部（潜像顕在化手段）
４  検出補正処理部
２０  ＣＰＵ（認証手段、制御手段、パスワード抽出手段）
２１  操作パネル
２１ａ  表示部
５０  検出部（検出手段）
５１  フレームメモリ
５２  第１補正処理部（第１補正処理手段）
５３  第２補正処理部（潜像顕在化手段）
５４  セレクタ
ＨＪ  秘密情報
ＰＷ  パスワード
ＳＤ  消去ドット
ＳＺ  潜像
Ｓ１  セキュリティ原稿紙（原稿）
ＺＤ  残留ドット
ＺＰ  地紋パターン（地紋）
【図１】
2009152902.tif 000003
【図２】
2009152902.tif 000004
【図３】
2009152902.tif 000005
【図４】
2009152902.tif 000006
【図５】
2009152902.tif 000007
【図６】
2009152902.tif 000008